【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
固定ビットレートビデオコーディング方式の簡略化されたブロック予測モードでビデオデータのブロックを符号化するための方法であって、前記方法は、
現在スライス中の現在ブロックを予測するために使用される候補ブロックを決定することと、前記候補ブロックは、前記現在スライス中の再構成されたピクセルに各々対応する複数のピクセル位置の探索範囲内にあり、前記探索範囲は、（i）現在スライス中の複数のピクセルの第１のライン中の１つまたは複数の第１のピクセル位置を含む第１の探索範囲（ＳＲＣ）と、ここで、複数のピクセルの前記第１のラインは、前記現在スライス中の現在ブロック中の少なくとも１つのピクセルを含み、前記現在スライスの全体の幅にわたる、（ii）前記現在スライス中の複数のピクセルの第２のライン中の１つまたは複数の第２のピクセル位置を含む第２の探索範囲（ＳＲＡ，ＳＲＢ）と、ここで、複数のピクセルの前記第２のラインは、前記現在ブロック中のいずれのピクセルも含まないが、前記現在スライスの前記全体の幅にわたる、を備える、
前記第１の探索範囲に基づいて前記現在ブロックを予測することに関連付けられた第１のレート−歪みコストを決定することと、
前記第２の探索範囲に基づいて前記現在ブロックを予測することに関連付けられた第２のレート−歪みコストを決定することと、
前記第１および第２のレート−歪みコストの最低レート−歪みコストをもたらす、前記第１の探索範囲および前記第２の探索範囲のうちの前記１つを選択することと、
前記選択された探索範囲内の前記候補ブロックのピクセル位置を示す予測ベクトルを決定することと、
前記第１の探索範囲および前記第２の探索範囲のうちの前記選択された１つを示すフラグを符号化することと、ここにおいて、第１の値を有する前記フラグは、前記第１の探索範囲が前記現在ブロックを予測するために使用されるものであることを示し、前記第１の値とは異なる第２の値を有する前記フラグは、前記第２の探索範囲が前記現在ブロックを予測するために使用されるものであることを示し、
前記予測ベクトルをシグナリングすることを少なくとも部分的に介して、前記簡略化されたブロック予測モードで前記現在ブロックを符号化することと
を備える、方法。
【請求項２】
複数のピクセルの前記第１のラインおよび複数のピクセルの前記第２のラインは、前記現在スライスの２つの隣接するラスタスキャンラインを備える、請求項１に記載の方法。
【請求項３】
前記現在ブロックは、１×２区分を備える２×８ブロック、または、２×２区分を備える２×８ブロックのうちの１つである、請求項１に記載の方法。
【請求項４】
前記フラグは、２つの可能性のある値のうちの１つを有する単一ビットフラグであり、前記２つの可能性のある値は、前記第１の値と前記第２の値とを含む、請求項１に記載の方法。
【請求項５】
前記第２の探索範囲は、複数のピクセルの前記第２のライン中の１つまたは複数の第３のピクセル位置を含む左の探索範囲（ＳＲＢ）と、ここにおいて、前記１つまたは複数の第３のピクセル位置は、前記現在ブロックの一部である前記第１のライン中のピクセル位置に関してコロケートされた前記第２のライン中のいずれのピクセル位置も含まず、前記現在ブロックの一部である前記第１のライン中のピクセル位置に関してコロケートされた前記第２のライン中の少なくとも１つのピクセル位置を含む１つまたは複数の第４のピクセル位置を含む右の探索範囲（ＳＲＡ）をさらに備える、請求項１に記載の方法。
【請求項６】
前記左の探索範囲（ＳＲＢ）および右の探索範囲（ＳＲＡ）は、同じラスタスキャンラインを占有する、請求項５に記載の方法。
【請求項７】
前記第１の探索範囲ＳＲＣは、第１の数のピクセル位置を含み、前記第１の数は、前記左の探索範囲ＳＲＢ内の前記１つまたは複数の第２のピクセル位置の第２の数よりも大きく、かつ前記右の探索範囲ＳＲＡ内の前記１つまたは複数のピクセル位置の第３の数よりも大きい、請求項５に記載の方法。
【請求項８】
前記第１、第２、および第３の数は、互いに異なる、請求項７に記載の方法。
【請求項９】
固定ビットレートビデオコーディング方式の簡略化されたブロック予測モードでビデオデータのブロックを符号化するための装置であって、前記装置は、
ビデオデータの現在スライスの１つまたは複数の再構成されたピクセルを記憶するように構成されたメモリと、
前記メモリと通信状態にある１つまたは複数のプロセッサとを備え、前記１つまたは複数のプロセッサは、
現在スライス中の現在ブロックを予測するために使用される候補ブロックを決定することと、前記候補ブロックは、前記現在スライス中の再構成されたピクセルに各々対応する複数のピクセル位置の探索範囲内にあり、前記探索範囲は、（i）前記現在スライス中の複数のピクセルの第１のライン中の１つまたは複数の第１のピクセル位置を含む第１の探索範囲と、ここで、複数のピクセルの前記第１のラインは、前記現在スライス中の現在ブロック中の少なくとも１つのピクセルを含み、前記現在スライスの全体の幅にわたる、（ii）前記現在スライス中の複数のピクセルの第２のライン中の１つまたは複数の第２のピクセル位置を含む第２の探索範囲と、ここで、複数のピクセルの前記第２のラインは、前記現在ブロック中のいずれのピクセルも含まないが、前記現在スライスの前記全体の幅にわたる、を備える、
前記第１の探索範囲に基づいて前記現在ブロックを予測することに関連付けられた第１のレート−歪みコストを決定することと、
前記第２の探索範囲に基づいて前記現在ブロックを予測することに関連付けられた第２のレート−歪みコストを決定することと、
前記第１および第２のレート−歪みコストの最低レート−歪みコストをもたらす、前記第１の探索範囲および前記第２の探索範囲のうちの前記１つを選択することと、
前記選択された探索範囲内の前記候補ブロックのピクセル位置を示す予測ベクトルを決定することと、
前記第１の探索範囲および前記第２の探索範囲のうちの前記選択された１つを示すフラグを符号化することと、ここにおいて、第１の値を有する前記フラグは、前記第１の探索範囲が前記現在ブロックを予測するために使用されるものであることを示し、前記第１の値とは異なる第２の値を有する前記フラグは、前記第２の探索範囲が前記現在ブロックを予測するために使用されるものであることを示し、
前記予測ベクトルをシグナリングすることを少なくとも部分的に介して、前記簡略化されたブロック予測モードで前記現在ブロックを符号化することと
を備える
を行うように構成される、装置。
【請求項１０】
前記第２の探索範囲は、複数のピクセルの前記第２のライン中の１つまたは複数の第３のピクセル位置をさらに含み、前記１つまたは複数の第３のピクセル位置は、前記現在ブロックの一部である前記第１のライン中のピクセル位置に関してコロケートされた前記第２のライン中のいずれのピクセル位置も含まない、請求項９に記載の装置。
【請求項１１】
前記１つまたは複数のプロセッサは、
前記第１の探索範囲および前記第２の探索範囲における複数の潜在的な候補ブロックの各潜在的な候補ブロックに基づいて、前記現在ブロックを予測することに関連付けられたレート−歪みコストを決定することと、
最低レート−歪みコストを有する前記複数の潜在的な候補ブロックのうちの１つを、前記現在ブロックを予測するために使用される候補ブロックとして識別することと
を行うようにさらに構成される、請求項９に記載の装置。
【請求項１２】
前記第１の探索範囲および前記第２の探索のうちの前記選択された１つにおける各ピクセル位置を一意に識別するために必要とされるビットの数は、第１の数に等しく、前記１つまたは複数のプロセッサは、
前記現在スライス内のあらかじめ定められた領域内に前記現在ブロックがあると決定することと、
ビットの前記第１の数よりも小さいものを使用して、前記第１の探索範囲および前記第２の探索範囲のうちの前記選択された１つ内の候補ブロックを示す予測ベクトルをシグナリングすることと
を行うようにさらに構成される、請求項９に記載の装置。
【請求項１３】
前記１つまたは複数のプロセッサは、
前記現在スライス中の複数のピクセルの前記第１のライン中の少なくとも１つのピクセルと、複数のピクセルの第３のライン中の少なくとも１つのピクセルとを前記現在ブロックが含むことを決定することと、複数のピクセルの前記第３のラインは、前記現在ブロック中の少なくとも１つのピクセルを含み、前記現在スライスの前記全体の幅にわたり、ここにおいて、前記第３のラインは、前記第１のラインとは異なる、
前記現在ブロックよりも少ない数のピクセルを有する第１のブロックに基づいて、前記現在ブロックをコーディングすることに関連付けられた第１の候補レート−歪みコストを決定することと、前記第１のブロックは、前記第２の探索範囲中の各々にある１つまたは複数のピクセルを含む、
前記現在ブロックと同じ数のピクセルを有する第２のブロックに基づいて、前記現在ブロックをコーディングすることに関連付けられた第２の候補レート−歪みコストを決定することと、前記第２のブロックは、前記第１のブロック中の前記１つまたは複数のピクセルの全てと、前記第１の探索範囲中の各々にある１つまたは複数の追加のピクセルとを含む、
前記第２の候補レート−歪みコストが前記第１の候補レート−歪みコストよりも大きいとの決定に基づいて、前記現在ブロックを予測するために使用される、候補ブロックとなる前記第１のブロックを決定することと
を行うようにさらに構成される、請求項９に記載の装置。
【請求項１４】
固定ビットレートビデオコーディング方式の簡略化されたブロック予測モードでビデオデータのブロックを符号化するように構成されたコードを備える非一時的物理的コンピュータストレージであって、前記コードは、実行されたとき、エンコーダに、請求項１乃至８のいずれかに記載の方法を行わせる、非一時的物理的コンピュータストレージ。